(57)【特許請求の範囲】
【請求項１】
オルゴール箱の開口部で揺動する蓋体の支点部分に開穿された挿入孔に挿入する挿入体と、挿入孔の開口部内側にスライド自在に設けられ挿入孔から突出するピン体と、が押しばねを介して一体成形された合成樹脂製の回転ピンを備え、蓋体を揺動支持する箱体の支点部分に回転ピンのピン体を支持する支持孔が形成されたオルゴール箱であって、挿入体は、押しばねの末端部に形成され挿入孔の内周面に嵌合する環体状に形成すると共に、挿入体の側面から突出して挿入体の嵌合力を高める部位を形成し、押しばねは、コイル部分の断面が略三角形状を成すように厚みを設け、ピン体の先端部側の側面にテーパー面を形成すると共に、箱体の支持孔の開口部近傍から箱体の開口部方向に向けて傾斜面を形成し、ピン体のテーパー面を傾斜面にスライドさせてピン体の先端部を支持孔内に導入するように構成したことを特徴とするオルゴール箱。
【発明の詳細な説明】
【技術分野】
【０００１】
本発明は、たとえばオルゴールの蓋などに装着して揺動軸として使用する回転ピン及び回転ピンを備えたオルゴール箱に関するものである。
【背景技術】
【０００２】
揺動する蓋や扉等の支点に使用されている従来の回転ピンは、例えば特許文献１の回転ピンや、特許文献２の扉用ヒンジピンなどが提案されている。
【０００３】
これら従来の回転ピンは、筒状のケースにコイルバネと共に支持ピンを出没自在に収納し、ケースから突出した支持ピンを蓋等の揺動軸として使用する構成である。例えば、オルゴールの蓋に筒状のケースを収納する挿入孔が開穿され、オルゴールの箱体に支持ピンを挿入して軸支する支持孔が形成される。
【０００４】
特許文献１に記載の回転ピンは、筒状のケースの底部に返しを形成し、この返しを蓋側の挿入孔の内壁に引っ掛けて抵抗を与えることで、ケースを抜け難くする構成である。ところが、あまり大きな抵抗を与えてしまうと、回転ピンを分別処理してオルゴールを廃棄する際に、回転ピンを抜き取る作業が極めて困難になる。
【０００５】
このような不都合を解消するため、特許文献２の扉用ヒンジピンでは、ヒンジピンを分別処理する際に、ヒンジピンを装着孔から容易に取り外せるように構成している。すなわち、筒状のケース先端に、外方に反り返って突出するストッパを形成してストッパを装着孔の内側に係止するものである。そして、このストッパのロックを解除するには、ストッパの先端から装着孔の外側に突出する突起を外部から操作することで、装着孔内のヒンジピンを取り外して分別処理するというものである。
【先行技術文献】
【特許文献】
【０００６】
【特許文献１】実用新案登録第３１８５３００号公報
【特許文献２】特許第３６２０４６９号公報
【発明の概要】
【発明が解決しようとする課題】
【０００７】
ところが、特許文献２の扉用ヒンジピンでは、ヒンジピンを分別処理するために、ストッパの先端に鰐部なるリング状の部材を嵌合する構成を採用している。そのため、分別回収時の作業は、ストッパの先端から鰐部なるリング状の部材を取り外し、その後、ストッパの先端を筒部内方向に押し込みながらケースを抜き出す作業になる。したがって、ヒンジピンの分別処理は可能になるが、分別作業に多くの手間を要するものである。
【０００８】
しかも、このヒンジピンの構成は、スプリングと、このスプリングを収納するケースに加え、ストッパやリング状の鰐部などの部材を多用する構成となり、製造コストも極めて高くなる課題があった。
【０００９】
そこで、本発明は上述の課題を解消すべく創出されたもので、分別作業が極めて容易で、しかも部品点数が少なく、製造コストを安価にすることが可能なバネ式回転ピン及び回転ピンを備えたオルゴール箱の提供を目的とするものである。
【課題を解決するための手段】
【００１０】
上述の目的を達成すべく本発明における第１の手段は、オルゴール箱の開口部で揺動する蓋体Ｐの支点部分に開穿された挿入孔Ｐ１に挿入する挿入体１０と、挿入孔Ｐ１の開口部内側にスライド自在に設けられ挿入孔Ｐ１から突出するピン体３０と、が押しばね２０を介して一体成形された合成樹脂製の回転ピン１を備え、蓋体Ｐを揺動支持する箱体Ｑの支点部分に回転ピン１のピン体３０を支持する支持孔Ｑ１が形成されたオルゴール箱であって、挿入体１０は、押しばね２０の末端部に形成され挿入孔Ｐ１の内周面に嵌合する環体状に形成すると共に、挿入体１０の側面から突出して挿入体１０の嵌合力を高める部位を形成し、押しばね２０は、コイル部分の断面が略三角形状を成すように厚みを設け、ピン体３０の先端部側の側面にテーパー面３２Ａを形成すると共に、箱体Ｑの支持孔Ｑ１の開口部近傍から箱体Ｑの開口部方向に向けて傾斜面Ｑ２を形成し、ピン体３０のテーパー面３２Ａを傾斜面Ｑ２にスライドさせてピン体３０の先端部を支持孔Ｑ１内に導入するように構成したことにある。
【発明の効果】
【００１５】
本発明回転ピン１は、挿入体１０、押しばね２０、ピン体３０が一体成形されているので、回転ピン１を除去して分別処理する場合は、ピン体３０の先端を摘まんで強制的に引き抜くことで、極めて簡単に除去することができる。
【００１６】
しかも、回転ピン１を蓋体Ｐの挿入孔Ｐ１に挿入する際は、挿入体１０を挿入孔Ｐ１の奥内部に押し込むだけの操作で完了するので、回転ピン１の装着作業も極めて容易である。
【００１７】
更に、回転ピン１は、合成樹脂材にて一体成形されているので、安価な提供が可能である。また、挿入孔Ｐ１等の内側面に挿入体１０を強制的に嵌合しても、合成樹脂材の伸縮性により容易に引き抜くことが可能になる。更に、回転ピン１を挿入孔Ｐ１等に挿入するだけで装着できるので回転ピン１の装着作業が容易である。しかも、耐水性を有するので、絵具などの塗料が付着しても錆びるおそれがない。そのため、例えば教材用のオルゴール箱に任意の塗装などを施す場合に最適である。
【００１８】
また、オルゴール箱の蓋体Ｐに装着した回転ピン１を箱体Ｑの支持孔Ｑ１に挿入するには、ピン体３０先端のテーパー面３２Ａを支持孔Ｑ１に連続する傾斜面Ｑ２にスライドさせることで、ピン体３０の先端部を支持孔Ｑ１内に挿入するように構成しているので、箱体Ｑと蓋体Ｐとの組み合わせが容易でしかも安価なオルゴール箱を提供することができる。
【００１９】
このように、本発明によると、分別作業が極めて容易で、しかも部品点数が少なく、製造コストを極めて安価にすることが可能になる。
【図面の簡単な説明】
【００２０】
【図１】本発明回転ピンの一実施例を示す側面図である。
【図２】本発明回転ピンの一実施例を示す側断面図である。
【図３】本発明回転ピンを使用したオルゴール箱を示す分解斜視図である。
【図４】（イ）〜（ハ）は本発明回転ピンの装着工程を示す側断面図である。
【図５】（イ）〜（ニ）は本発明押しばねの他の実施例を示す側面図である。
【図６】（イ）〜（ニ）は本発明ピン体の他の実施例を示す側面図である。
【図７】（イ）〜（ハ）は本発明挿入体の他の実施例を示す側面図と平面図である。
【図８】（イ）、（ロ）は本発明押しばねの参考例を示す側面図である。
【図９】本発明の傾斜面とテーパー面との関係を示す概略側面図である。
【発明を実施するための形態】
【００２１】
以下、本発明の実施の形態を説明する。本発明回転ピンは、例えば、オルゴール箱の箱体Ｑに蓋体Ｐを揺動自在に支持する回転ピン１である。この回転ピン１は、オルゴール箱の他、キャビネット、カラーボックス等に、開閉扉、棚などを揺動支持する際にも使用可能である。図示例では、オルゴール箱の蓋体を揺動体Ｐとし、箱体を固定本体Ｑとして説明する。
【００２２】
本発明回転ピン１の構成は、挿入体１０とピン体３０とが押しばね２０を介して一体成形されたものである（図１参照）。
【００２３】
挿入体１０は、揺動体Ｐの支点部分に開穿された挿入孔Ｐ１の奥に挿入する環体状の部材である。図示例では、揺動体Ｐに挿入孔Ｐ１を開穿し、固定本体Ｑに支持孔Ｑ１を開穿している（図３参照）。そして、挿入孔Ｐ１に回転ピン１を挿入する構成であるが、固定本体Ｑの支点部分に開穿した支持孔Ｑ１に回転ピン１を挿入し、揺動体Ｐの支点部分に開穿した挿入孔Ｐ１に後述するピン体３０を挿入して揺動体Ｐを軸支するように構成することも可能である。
【００２４】
ピン体３０は、挿入孔Ｐ１の開口部内側にスライド自在に設けられ挿入孔Ｐ１から突出する部材である。このピン体３０は、挿入孔Ｐ１に接触しながらスライドする円柱状の外形を有するスライド部３１と、挿入孔Ｐ１の開口部から突出する支持ピン３２とで構成している（図１参照）。
【００２５】
これらの挿入体１０及びピン体３０は、挿入孔Ｐ１内に配される押しばね２０を介して一体成形されている。すなわち、挿入体１０と押しばね２０とピン体３０とは、合成樹脂材にて一体成形することができる。また、挿入体１０、圧縮コイルばね２０、ピン体３０のいずれかの部材や一部の部位を金属等に代え、合成樹脂材と一体成形することも可能である。図示例ではすべての部材を合成樹脂材で一体成形した状態である（図２参照）。
【００２６】
挿入孔Ｐ１内に回転ピン１を装着するには、挿入体１０から先に挿入孔Ｐ１に挿入する（図４（イ）参照）。次に、ピン体３０を挿入孔Ｐ１内に押し込んで挿入体１０が挿入孔Ｐ１内の所定位置に到達するまで挿入する（同図（ロ）参照）。そして、ピン体３０の押し込みをやめると、押しばね２０の作用でピン体３０の支持ピン３２が挿入孔Ｐ１から突出する（同図（ハ）参照）。
【００２７】
図１〜図４に示す押しばね２０は、圧縮コイルばね状の押しばね２０を示している。この押しばね２０を合成樹脂材にて形成する場合、コイル部分の断面が略三角形状を成すように厚みを設けている（図２参照）。また、この押しばね２０は、合成樹脂材の他、金属材等の他の材質や形状を選択することも可能である。図５に示す押しばね２０は、圧縮コイルばね状の他の形状を示し、（イ）は略三角錐形、（ロ）は略小鼓形、（ハ）は略提灯形、（ニ）は略砲弾形などの側面形状を成している。
【００２８】
また押しばね２０を合成樹脂材で形成する場合は、圧縮コイルばね以外の形状にすることも可能である。すなわち、図８（イ）、（ロ）に示すごとく、連続するリング形状の押しばね２０を形成することも可能になる。図示例では、合成樹脂製の連続した複数のリングが同時に圧縮されることで、押しばね２０としての作用を奏する（同図（ロ）参照）。
【００２９】
挿入体１０は、押しばね２０の末端部に繋がる部材であり、挿入孔Ｐ１の内周面に嵌合する環体状に形成されている（図１参照）。したがって、挿入孔Ｐ１の奥内部に挿入された挿入体１０は、挿入孔Ｐ１内に嵌合した状態で固定される（図４（ロ）、（ハ）参照）。
【００３０】
また、挿入体１０の嵌合状態をより強固にすることも可能である（図７参照）。すなわち、同図（イ）は挿入体１０の周囲に突起１１を形成している。同図（ロ）は、挿入体１０に複数の切込み１２を形成して挿入体１０の奥端部が広がるように構成したものである。同図（ハ）は、挿入体１０の側面にテーパー形状１３を形成したものである。このように、挿入体１０の側面から突出する部位を利用して挿入体１０の嵌合力を高めることができる。挿入体１０を合成樹脂材で形成すると、このように強力な嵌合力を有する場合でも、合成樹脂材特有の柔軟性等で容易に引き抜くことが可能になる。
【００３１】
一方、ピン体３０を挿入孔Ｐ１内に挿入すると、スライド部３１が挿入孔Ｐ１の開口端部側の内周面に摺接する（図４（ロ）、（ハ）参照）。また、このスライド部３１の先端に形成された支持ピン３２は、挿入孔Ｐ１から突出する（同図（ハ）参照）。そして、この支持ピン３２を固定本体Ｑの支持孔Ｑ１に挿入して軸支する（図３参照）。
【００３２】
この支持ピン３２の形状は任意に変更することが可能である（図６参照）。すなわち、同図（イ）は半球形状の支持ピン３２、同図（ロ）は扇型のテーパー面３２Ａを形成した支持ピン３２、同図（ハ）は略円錐形状の支持ピン３２、同図（ニ）は傾斜状のテーパー面３２Ａを形成した支持ピン３２を示している。いずれの支持ピン３２にも、それぞれ異なった形状のテーパー面３２Ａが形成されている。
【００３３】
図３は、発明回転ピン１を利用したオルゴール箱を示している。このとき、回転ピン１のピン体３０は、支持ピン３２の側面にテーパー面３２Ａを形成した回転ピン１を使用する（図６参照）。一方、箱体Ｑ内側の支持孔Ｑ１の開口部近傍から箱体Ｑの開口部方向に向けて傾斜面Ｑ２を形成している（図９参照）。そして、支持ピン３２のテーパー面３２Ａを傾斜面Ｑ２にスライドさせて支持ピン３２の先端を支持孔Ｑ１内に導入するように構成している。
【００３４】
すなわち、支持ピン３２のテーパー面３２Ａを傾斜面Ｑ２に当接させて箱体Ｑ方向に押し込むと、支持ピン３２が縮みながら傾斜面Ｑ２に沿って移動し、支持孔Ｑ１の位置で支持ピン３２が反発して突出することで支持孔Ｑ１内に支持ピン３２が挿入されるものである。
【００３５】
尚、本発明の回転ピンやオルゴール箱の構造は図示例に限定されるものではなく、本発明の要旨を変更しない範囲での設計変更は自由に行える。
【符号の説明】
【００３６】
Ｐ  揺動体（蓋体）
Ｐ１  挿入孔、
Ｑ  固定本体（箱体）
Ｑ１  支持孔
Ｑ２  傾斜面
１  回転ピン
１０  挿入体
２０  押しばね
３０  ピン体
３１  スライド部
３２  支持ピン
３２Ａ  テーパー面
【要約】
【課題】分別作業が極めて容易で、しかも部品点数が少なく、製造コストを安価にすることが可能なバネ式回転ピンを提供する。
【解決手段】固定本体Ｑに揺動体Ｐを軸支する支点部分に装着する回転ピンを構成する。揺動体Ｐ又は固定本体Ｑの支点部分に挿入孔Ｐ１又は支持孔Ｑ１を開穿する。挿入孔Ｐ１又は支持孔Ｑ１に挿入する挿入体１０を設ける。挿入孔Ｐ１又は支持孔Ｑ１の開口部内側にスライド自在なピン体３０を設ける。挿入孔Ｐ１又は支持孔Ｑ１からピン体３０の先端を突出させる。挿入体１０とピン体３０とを押しばね２０を介して一体に形成する。
【選択図】  図１【図１】
0006986305.tif 000002
【図２】
0006986305.tif 000003
【図３】
0006986305.tif 000004
【図４】
0006986305.tif 000005
【図５】
0006986305.tif 000006
【図６】
0006986305.tif 000007
【図７】
0006986305.tif 000008
【図８】
0006986305.tif 000009
【図９】
0006986305.tif 000010